(57)【要約】【課題】立形回転電機の上部からの水分の浸入を防止する。【解決手段】立形回転電機は、鉛直方向に延びたロータシャフト１１と回転子鉄心とを有する回転子１０と、回転子１０の径方向外側に配された固定子と、回転子１０を回転自在に支持し軸受カバー５４を有する上部軸受および下部軸受と、上部軸受を固定支持する上部軸受ブラケットおよび下部軸受を固定支持する下部軸受ブラケットと、上部軸受に隣接して上部軸受の上方でロータシャフト１１に取り付けられた上部軸貫通部水止め構造６０と、を有する。上部軸貫通部水止め構造６０は、円筒状でロータシャフト１１の外側面との対向面にＯリング６５を設けるための水平方向かつ周方向に延びるＯリング溝６２が形成された水止め部材６１と、Ｏリング溝６２に嵌めこまれるＯリング６５とを有する。【選択図】図３
2017060360.tif 000002
【特許請求の範囲】
【請求項１】
鉛直方向に延びたロータシャフトと前記ロータシャフトの径方向外側に設けられた回転子鉄心とを有する回転子と、
前記回転子の径方向外側に配されて静止固定された円筒状の固定子と、
前記回転子を回転自在に支持し軸受カバーを有する上部軸受および下部軸受と、
前記上部軸受を固定支持する上部軸受ブラケットおよび前記下部軸受を固定支持する下部軸受ブラケットと、
前記上部軸受に隣接して、前記上部軸受の上方で前記ロータシャフトに取り付けられた上部軸貫通部水止め構造と、
を備える立形回転電機であって、
前記上部軸貫通部水止め構造は、
円筒状で前記ロータシャフトの外側面との対向面にＯリングを設けるための水平方向かつ周方向に延びるＯリング溝が形成された水止め部材と、
前記Ｏリング溝に嵌めこまれるＯリングと、
を有することを特徴とする立形回転電機。
【請求項２】
前記水止め部材の下面には、径方向の外側になるにつれて表面高さが低下するテーパ部がさらに形成されていることを特徴とする請求項１に記載の立形回転電機。
【請求項３】
前記上部軸受の軸受カバーの上面は、前記水止め部材の下面に形成されたテーパ部に対向するようにテーパ部が形成されていることを特徴とする請求項２に記載の立形回転電機。
【請求項４】
前記水止め部材の取り付け位置の前記ロータシャフトの径は高さ方向に変化し、前記水止め部材の取り付け位置により前記Ｏリングのつぶし代が変化可能であることを特徴とする請求項１ないし請求項３のいずれか一項に記載の立形回転電機。
【請求項５】
前記水止め部材には、前記ロータシャフトの径方向に貫通する少なくとも３つのねじ孔が形成され、
前記ねじ孔のそれぞれにねじにて挿入され、前記ロータシャフトに径方向外側から荷重を印加可能な固定部材と、
を備えることを特徴とする請求項１ないし請求項４のいずれか一項に記載の立形回転電機。
【請求項６】
前記ロータシャフトの径が高さ方向に変化する部分の前記ロータシャフトの表面には、前記ねじ孔の本数と同じ本数の互いに周方向に等間隔にヘリカル状のガイド溝が形成され、
前記固定部材はそれぞれ、
側部におねじが形成されたおねじ形成筒と、
前記おねじ形成筒に結合したバネ受けと、
前記バネ受けに取り付けられたバネと、
前記バネに結合して前記おねじ形成筒内を移動可能で前記ガイド溝に沿って先端が移動可能な締め付け部材と、
を有することを特徴とする請求項５に記載の立形回転電機。
【請求項７】
鉛直方向に延びたロータシャフトを備える立形回転電機の上部軸受から機内への水分の浸入を防止する上部軸貫通部水止め構造であって、
前記上部軸受に隣接して前記上部軸受の上方で前記ロータシャフトに取り付けられて、円筒状で前記ロータシャフトの外側面との対向面にＯリングを設けるための水平方向かつ周方向に延びるＯリング溝が形成された水止め部材と、
前記Ｏリング溝に嵌めこまれるＯリングと、
を有することを特徴とする上部軸貫通部水止め構造。
【発明の詳細な説明】
【技術分野】
【０００１】
本発明は、立形回転電機の上部軸貫通部水止め構造およびこれを有する立形回転電機に関する。
【背景技術】
【０００２】
立型回転電機においては、回転軸であるロータシャフトが鉛直方向に延びている。ロータシャフトには、回転子鉄心、外扇あるいは内扇、および軸受の回転部分が取り付けられている。これらのロータシャフトに取り付けられたものは、回転軸を中心にしてロータシャフトとともに回転する。
【０００３】
ロータシャフトは、上部軸受ブラケットおよび下部軸受ブラケットをそれぞれ上下に貫通する。
【先行技術文献】
【特許文献】
【０００４】
【特許文献１】実用新案登録第２５１０９５５号公報
【発明の概要】
【発明が解決しようとする課題】
【０００５】
立形回転電機の上部軸受ブラケットの上方は、外扇ファンが設けられ、外扇カバーの吸い込み開口を通じて、外気と連通している。このため、雨滴などが上部から浸入して、上部軸受ブラケットの貫通部に至る場合がある。
【０００６】
全閉外扇型の立形回転電機は、フレーム、上部軸受支持ブラケットおよび下部軸受支持ブラケットで密閉空間を構成している。しかしながら、立形であるがゆえに、雨滴は回転軸に沿って下方に移動し、上部軸受支持ブラケットから密閉空間内に浸入しようとする。密閉空間内には固定子コイルをはじめ高電圧が印加される部分、および絶縁部分が多数存在する。
【０００７】
このような部分に水分が付着すると、短絡の発生、あるいは絶縁物の劣化の要因となる。したがって、これらの部分に水分が到達することを防止する必要があるという課題がある。
【０００８】
そこで、本発明は、立形回転電機の上部からの水分の浸入を防止することを目的とする。
【課題を解決するための手段】
【０００９】
上述の目的を達成するため、本発明に係る立形回転電機は、鉛直方向に延びたロータシャフトと前記ロータシャフトの径方向外側に設けられた回転子鉄心とを有する回転子と、前記回転子の径方向外側に配されて静止固定された円筒状の固定子と、前記回転子を回転自在に支持し軸受カバーを有する上部軸受および下部軸受と、前記上部軸受を固定支持する上部軸受ブラケットおよび前記下部軸受を固定支持する下部軸受ブラケットと、前記上部軸受に隣接して、前記上部軸受の上方で前記ロータシャフトに取り付けられた上部軸貫通部水止め構造と、を備える立形回転電機であって、前記上部軸貫通部水止め構造は、円筒状で前記ロータシャフトの外側面との対向面にＯリングを設けるための水平方向かつ周方向に延びるＯリング溝が形成された水止め部材と、前記Ｏリング溝に嵌めこまれるＯリングと、を有することを特徴とする。
【００１０】
また、本発明は、鉛直方向に延びたロータシャフトを備える立形回転電機の上部軸受から機内への水分の浸入を防止する上部軸貫通部水止め構造であって、前記上部軸受に隣接して前記上部軸受の上方で前記ロータシャフトに取り付けられて、円筒状で前記ロータシャフトの外側面との対向面にＯリングを設けるための水平方向かつ周方向に延びるＯリング溝が形成された水止め部材と、前記Ｏリング溝に嵌めこまれるＯリングと、を有することを特徴とする。
【発明の効果】
【００１１】
本発明によれば、立形回転電機の上部からの水分の浸入を防止することができる。
【図面の簡単な説明】
【００１２】
【図１】第１の実施形態に係る立形回転電機の構成を示す立断面図である。
【図２】第１の実施形態に係る立形回転電機の上部軸貫通部水止め構造を含む上部軸受まわりの構成を示す立断面図である。
【図３】第１の実施形態に係る立形回転電機の上部軸貫通部水止め構造の詳細を示す立断面図である。
【図４】水止め部材を示す図３のＩＶ−ＩＶ矢視平面図である。
【図５】第２の実施形態に係る上部軸貫通部水止め構造まわりのロータシャフトを示す側面図である。
【図６】ロータシャフト表面に形成されたガイド溝を概念的に示す図５のＶＩ−ＶＩ矢視平面図である。
【図７】第２の実施形態に係る上部軸貫通部水止め構造の固定部材の構成を示す縦断面図である。
【発明を実施するための形態】
【００１３】
以下、図面を参照して、本発明の実施形態に係る立形回転電機および上部軸貫通部水止め構造について説明する。ここで、互いに同一または類似の部分には、共通の符号を付して、重複説明は省略する。
【００１４】
［第１の実施形態］
図１は、第１の実施形態に係る立形回転電機の構成を示す立断面図である。立形回転電機１００は、回転子１０、固定子２０、フレーム３１、上部軸受ブラケット３３および下部軸受ブラケット３５を有する。
【００１５】
回転子１０は、鉛直方向に延びて上部軸受５０および下部軸受３６により回転可能に支持されるロータシャフト１１、ロータシャフト１１の周囲に設けられた回転子鉄心１２、および回転子鉄心１２外側に形成されたスロット（図示せず）内に設けられた回転子コイル１３を有する。上部軸受５０および下部軸受３６のいずれかは、おもにロータシャフト１１を介してロータシャフト１１および回転子鉄心１２の自重を支持するスラスト軸受を有する。
【００１６】
回転子コイル１３の軸方向の一方の端部は短絡環１４によって電気的に接続している。ロータシャフト１１の回転子鉄心１２の上方に２台の内扇１５が設けられ、ロータシャフト１１の上端には外扇１６が設けられている。
【００１７】
固定子２０は、固定子鉄心２１、および固定子コイル２２を有する。固定子鉄心２１は、回転子鉄心１２の径方向外側に設けられ、円筒形状をなしている。固定子鉄心２１の回転子鉄心１２に対向する面には、スロット（図示せず）が形成され、固定子コイル２２がスロット内に配されている。
【００１８】
回転子鉄心１２および固定子２０の径方向外側には、フレーム３１が設けられている。フレーム３１は、スカート３８に支持されている。スカート３８は、据付フランジ３８ａにより基礎９０に据付固定されている。また、上部軸受ブラケット３３および下部軸受ブラケット３５は、それぞれフレーム３１に固定されている。上部軸受５０は上部軸受ブラケット３３により支持され、下部軸受３６は下部軸受ブラケット３５により支持されている。
【００１９】
上部軸受ブラケット３３、フレーム３１、および下部軸受ブラケット３５は互いに相俟って密閉空間７０を形成する。外扇１６は、外扇カバー４１に収納されている。外扇カバー４１の上面には、外気吸い込み口４１ａが形成されている。外扇カバー４１の底部は開放されており、フレーム３１の上部の外表面と間隙を有しながら、ロータシャフト１１の回転軸方向に重なるように設けられている。
【００２０】
図２は、第１の実施形態に係る立形回転電機の上部軸貫通部水止め構造を含む上部軸受まわりの構成を示す立断面図である。上部軸貫通部水止め構造６０は、上部軸受５０の上方に、上部軸受５０に隣接して設けられている。上部軸受５０は、固定側支持部５１、ボール５２、回転側支持部５３、および軸受カバー５４を有する。
【００２１】
軸受カバー５４は、上部軸受ブラケット３３に固定支持され、固定側支持部５１は、軸受カバー５４に支持されている。回転側支持部５３は、ロータシャフト１１に固定支持されている。ボール５２は、固定側支持部５１と回転側支持部５３の間にあって、回転側支持部５３が周方向に回転する際にそれにつれて個々に回転する。
【００２２】
図３は、第１の実施形態に係る立形回転電機の上部軸貫通部水止め構造の詳細を示す立断面図である。また、図４は、水止め部材を示す図３のＩＶ−ＩＶ矢視平面図である。上部軸貫通部水止め構造６０は、水止め部材６１およびＯリング６５を有する。
【００２３】
水止め部材６１は、中央に円形の開口が形成された円板状をなしている。水止め部材６１の底面の縁部近傍には、同心状にテーパ部６３が形成されている。テーパ部６３は、円板の中央側が周辺より薄くなる方向に形成されている。すなわち、水止め部材６１の取り付け状態においては、テーパ部６３は、径方向外側になるにつれて高さが低減する方向に形成されている。
【００２４】
一方、上部軸受５０の軸受カバー５４の上面には、水止め部材６１の下面に形成されたテーパ部６３に対向するように、テーパ部５４ａが形成されている。すなわち、軸受カバー５４の上面の縁部近傍は、径方向外側になるにつれて高さが低減する。この結果、水止め部材６１の底面のテーパ部６３と上部軸受５０の軸受カバー５４の上面のテーパ部５４ａにより、径方向外側方向に下り勾配の間隙部が形成される。
【００２５】
水止め部材６１の径方向の内周面には、水平に、周方向に延びて全周にわたるＯリング溝６２が形成されている。また、径方向にねじ孔６４が２箇所に形成されている。ねじ孔６４にはそれぞれめねじが形成され、おねじが形成された固定部材６６がねじ孔６４にねじ込み可能に形成されている。
【００２６】
ここで、水止め部材６１が取り付けられる近傍のロータシャフト１１は、軸方向に径が変化し、下方に行くに従って径が増大するようにテーパ部１１ａが形成されている。このため、水止め部材６１を取付ける高さによって、Ｏリング６５のつぶし代が変化する。
【００２７】
水止め部材６１は、固定部材６６によりロータシャフト１１に固定される。ねじ孔６４は３か所あるので、固定部材６６による締め付けのバランスをとることにより、水止め部材６１の径方向中心を、ロータシャフト１１の軸中心に一致させるように調整することができる。
【００２８】
なお、図３では、Ｏリング溝６２がねじ孔６４より高い位置に形成されているが、逆に、ねじ孔６４がＯリング溝６２より高い位置に形成されていてもよい。
【００２９】
以上のように構成された本実施形態による上部軸貫通部水止め構造６０およびこれを用いた立形回転電機１００における作用を説明する。
【００３０】
まず、水止め部材６１とロータシャフト１１との間隙が、Ｏリング６５が適度につぶされるように、水止め部材６１の位置を調整し、固定部材６６により固定する。
【００３１】
立形回転電機１００が運転状態のため外扇１６が回転中は、外気吸い込み口４１ａから流入してくる液滴は、外扇１６により径方向に飛ばされるため、軸の下方に移行する液滴は殆どない。一方、立形回転電機１００が停止状態のため外扇１６が停止中は、外気吸い込み口４１ａから流入してくる液滴は、そのまま、外扇１６より下方に落下し、一部は上部軸貫通部水止め構造６０の上部に到達する。
【００３２】
上部軸貫通部水止め構造６０の上部に到達した液滴は、水止め部材６１とロータシャフト１１との間隙に流入するが、Ｏリング６５が適度につぶされているため、水止め部材６１とロータシャフト１１との間隙はＯリング６５を挟んで上下にＯリング６５により有効にシールされている。この結果、Ｏリング６５の上部で、液滴は浸入を阻止される。また、水止め部材６１の下面と軸受カバー５４の上面の間の間隙は上り勾配であることから、径方向外側から径方向内側に向けて液滴等が浸入しにくい構造である。
【００３３】
立形回転電機１００の運転状態においては、ロータシャフト１１に取り付けられた上部軸貫通部水止め構造６０は、回転軸回りを回転している。このため、水止め部材６１の下面と軸受カバー５４の上面の間の間隙に径方向外側から液滴等が浸入する可能性はさらに低減する。
【００３４】
また、水止め部材６１とロータシャフト１１との間隙に流入しＯリング６５の上部に溜まった液の上面に近い部分は遠心力により径方向外側に飛散するため、Ｏリング６５の上方に溜まる液の量も制限され水頭差は十分に小さく抑えられることから、Ｏリング６５を通過するための要因となる値を十分に下回る。
【００３５】
以上のように、本実施形態によれば、立形回転電機１００の上部から密閉空間７０への水分の浸入を防止することができる。
【００３６】
［第２の実施形態］
図５は、第２の実施形態に係る上部軸貫通部水止め構造まわりのロータシャフトを示す側面図である。本実施形態においては、上部軸貫通部水止め構造６０が取り付けられるロータシャフト１１のテーパ部１１ａの表面に、ヘリカル状に互いに周方向に等間隔にガイド溝１１ｐ、１１ｑ、１１ｒが形成されている。すなわち、ガイド溝１１ｐ、１１ｑ、１１ｒは、いずれの高さの断面においても、周方向に１２０度間隔に形成されている。
【００３７】
図６は、ロータシャフト表面に形成されたガイド溝を概念的に示す図５のＶＩ−ＶＩ矢視平面図である。図６に示すように、ガイド溝１１ｐ、ガイド溝１１ｑ、およびガイド溝１１ｒはそれぞれ、開始点Ｐ０、開始点Ｑ０、および開始点Ｒ０から下方に形成されている。開始点Ｐ０、開始点Ｑ０、および開始点Ｒ０の周方向位置は互いに等間隔すなわち１２０度の間隔を空けて形成されている。
【００３８】
図７は、第２の実施形態に係る上部軸貫通部水止め構造の固定部材の構成を示す縦断面図である。固定部材６６は、おねじ形成筒６６ａ、バネ受け６６ｂ、バネ６６ｃ、締め付け部材６６ｄ、および調節部６６ｅを有する。
【００３９】
おねじ形成筒６６ａの側面には、水止め部材６１のねじ孔６４に形成されためねじに対応するように、おねじが形成されている。おねじ形成筒６６ａに結合するバネ受け６６ｂ内には、バネ６６ｃが固定されている。バネ６６ｃの固定端の反対端は、締め付け部材６６ｄに接続されている。締め付け部材６６ｄは、おねじ形成筒６６ａ内を長手方向に移動可能に形成されており、おねじ形成筒６６ａが締め付け部材６６ｄのガイドとなっている。
【００４０】
調節部６６ｅは、バネ受け６６ｂにねじにより取り付けられ、バネ６６ｃを圧縮可能に形成されている。以上のような固定部材６６が、３つ設けられている。固定部材６６は、互いに形状、寸法が同じで、また、バネの強度特性も等しいものである。したがって、調節部６６ｅを互いに水平な位置、すなわち同じ高さに保ちながら、同じ角度回転させることにより、３つのバネによる締め付け部材６６ｄの反力は互いに等しくなる。また、高さが変化するとバネの伸びが変化し、反力が変化する。
【００４１】
以上のような固定部材６６を、まず、それぞれの締め付け部材６６ｄの先端が、ガイド溝１１ｐ、１１ｑ、１１ｒ内となるようにして、調節部６６ｅによりＯリング６５を適切に圧縮するように調節する。
【００４２】
さらに、水止め部材６１全体を、固定部材６６を互いに水平に保ちながら、回転軸回りに角度調節することにより、Ｏリング６５の圧縮の度合いを微調整することができる。
【００４３】
［その他の実施形態］
以上、本発明の実施形態を説明したが、実施形態は、例として提示したものであり、発明の範囲を限定することは意図していない。たとえば、実施形態では、固定部材が３つの場合の例を示したが、これに限定されない。たとえば、４つ以上でもよい。
【００４４】
また、実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００４５】
１０…回転子、１１…ロータシャフト、１１ａ…テーパ部、１１ｐ、１１ｑ、１１ｒ…ガイド溝、１２…回転子鉄心、１３…回転子コイル、１４…短絡環、１５…内扇、１６…外扇、２０…固定子、２１…固定子鉄心、２２…固定子コイル、３１…フレーム、３３…上部軸受ブラケット、３５…下部軸受ブラケット、３６…下部軸受、３８…スカート、３８ａ…据付フランジ、４１…外扇カバー、４１ａ…外気吸い込み口、５０…上部軸受、５１…固定側支持部、５２…ボール、５３…回転側支持部、５４…軸受カバー、５４ａ…テーパ部、６０…上部軸貫通部水止め構造、６１…水止め部材、６２…Ｏリング溝、６３…テーパ部、６４…ねじ孔、６５…Ｏリング、６６…固定部材、６６ａ…おねじ形成筒、６６ｂ…バネ受け、６６ｃ…バネ、６６ｄ…締め付け部材、６６ｅ…調節部、７０…密閉空間、９０…基礎、１００…立形回転電機
【図１】
2017060360.tif 000003
【図２】
2017060360.tif 000004
【図３】
2017060360.tif 000005
【図４】
2017060360.tif 000006
【図５】
2017060360.tif 000007
【図６】
2017060360.tif 000008
【図７】
2017060360.tif 000009